(57)【要約】【課題】テレビジョン放送受信装置のスクリーンセーバー機能はコントラストの制限や矩形の移動など、画面焼き付き防止に特化しており、表示画面を有効に利用できていない。【解決手段】本発明のテレビジョン放送受信装置のスクリーンセーバー機能は、スクリーンセーバー用の画面として使用する情報が、ＥＰＧ情報受信機能により受信した、現在放映されている地上波放送、衛星放送のＥＰＧ情報であり、一定時間ごとにチャンネルを替えて新たなＥＰＧ情報を用いて、スクリーンセーバー用画面を作成することを特徴とする。【選択図】図１
2006041588.tif 000002
【特許請求の範囲】
【請求項１】
ＥＰＧ情報受信機能を有するテレビジョン放送受信装置における、スクリーンセーバー機能であって、前記スクリーンセーバー機能は、前記ＥＰＧ情報を用いて番組名、出演者などのテキスト情報と、ジャンルを表すアイコンなどを作成する手段と、前記ＥＰＧ情報に対応する番組の画面をキャプチャして、プレビュー情報となる画像として保存する手段と、前記ＥＰＧ情報と前記キャプチャ画像を画面上の適切な位置に配置してスクリーンセーバー用の画面を作成する手段と、ユーザが放送番組以外、すなわちメニュー画面表示やＥＰＧ画面表示など、長時間表示し続けることによって画面の焼き付きを起こしてしまうような同一静止画を前記テレビジョン放送受信装置の画面上に表示しているかどうかを検出する手段と、前記放送番組以外を画面上に表示していると検出した場合に、ユーザからの操作入力が一定時間無い状態を検出する手段と、前記一定時間操作入力がない状態を検出した場合に、前記スクリーンセーバー用の画面を前記テレビジョン放送受信装置の画面上に刻一刻と変化させながら表示する手段とを備え、前記スクリーンセーバー用の画面として使用する情報が、前記ＥＰＧ情報受信機能により受信した、現在放映されている地上波放送、衛星放送のＥＰＧ情報であり、一定時間ごとにチャンネルを替えて新たなＥＰＧ情報を用いて、前記スクリーンセーバー用画面を作成することを特徴とするスクリーンセーバー機能。
【請求項２】
ＥＰＧ情報受信機能を有するテレビジョン放送受信装置における、スクリーンセーバー機能であって、前記スクリーンセーバー機能は、前記ＥＰＧ情報を用いて番組名、出演者などのテキスト情報と、ジャンルを表すアイコンなどを作成する手段と、前記ＥＰＧ情報に対応する番組を前記テレビジョン放送受信装置の画面上に表示させる命令を出す手段と、前記ＥＰＧ情報と前記キャプチャ画像を画面上の適切な位置に配置されるよう半透明ＯＳＤ上に描画する手段と、前記ＥＰＧ情報に対応する番組の画面と前記ＥＰＧ情報が描画された半透明ＯＳＤを別レイヤーとして合成してスクリーンセーバー用の画面を作成する手段と、ユーザが放送番組以外、すなわちメニュー画面表示やＥＰＧ画面表示など、長時間表示し続けることによって画面の焼き付きを起こしてしまうような同一静止画を前記テレビジョン放送受信装置の画面上に表示しているかどうかを検出する手段と、前記放送番組以外を画面上に表示していると検出した場合に、ユーザからの操作入力が一定時間無い状態を検出する手段と、前記一定時間操作入力がない状態を検出した場合に、前記スクリーンセーバー用の画面を前記テレビジョン放送受信装置の画面上に刻一刻と変化させながら表示する手段とを備え、前記スクリーンセーバー用の画面として使用する情報が、前記ＥＰＧ情報受信機能により受信した、現在放映されている地上波放送、衛星放送のＥＰＧ情報であり、一定時間ごとにチャンネルを替えて新たなＥＰＧ情報を用いて、前記スクリーンセーバー用画面を作成することを特徴とするスクリーンセーバー機能。
【発明の詳細な説明】
【技術分野】
【０００１】
本発明は、電子番組ガイド（ＥＰＧ：Ｅｌｅｃｔｒｏｎｉｃ  Ｐｒｏｇｒａｍ  Ｇｕｉｄｅ）情報受信機能を有するテレビジョン放送受信装置におけるスクリーンセーバー機能に関する。
【背景技術】
【０００２】
ＣＲＴ（Ｃａｔｈｏｄｅ  Ｒａｙ  Ｔｕｂｅ）やＰＤＰ（Ｐｌａｓｍａ  Ｄｉｓｐｌａｙ  Ｐａｎｅｌ）などの表示装置には、長時間同一の画像を表示し続けることによる、画面の焼き付きを防止するための装置、いわゆるスクリーンセーバー機能を有するものがある。
【０００３】
パーソナルコンピュータ（ＰＣ）におけるスクリーンセーバーでは、ユーザが一定期間操作を行っていないことを検知した後、あらかじめ用意された静止画像や動画像を順に表示することによってスクリーンセーバー機能を実現しているものが多い。また、焼き付き防止を目的とするだけでなく、スクリーンセーバー機能動作中に、インターネットなどの通信ネットワークとユーザの個人情報を利用し、ユーザが興味を持つような有用情報や広告を表示する機能を有する情報表示装置がある（例えば、特許文献１参照）。
【０００４】
一方、テレビジョン放送受信装置にもスクリーンセーバー機能を有するものがいくつかあるが、映像コントラストの抑制や白黒反転など、焼き付き防止のみを目的にしたものがほとんどを占めている。外部記憶媒体に蓄積された静止画像を表示する機能を有するような一部の特殊なテレビジョン受信装置では、その静止画像を順次表示していくスライドショー機能を利用して、スクリーンセーバー機能を実現しているものがある。
【特許文献１】特開平０８−３０５６４８号公報
【発明の開示】
【発明が解決しようとする課題】
【０００５】
しかしながら、現在のスクリーンセーバー機能はコントラストの抑制にせよ、画像のスライドショーにせよ、ユーザに新たな情報を供与するものではなく、データ放送やインターネット接続など情報送受信機能を強化しつつある今日のテレビジョン放送受信装置の機能を有効に活用できているとは言えない。
【０００６】
本発明は上記のような事情を鑑みてなされたものであり、その目的はスクリーンセーバー機能として表示画面の焼き付きを防止するとともに、スクリーンセーバーを表示している期間を利用してユーザに有益な情報を提供することにある。
【課題を解決するための手段】
【０００７】
本発明の請求項１に係るスクリーンセーバー機能は、ＥＰＧ情報を用いて番組名、出演者などのテキスト情報と、ジャンルを表すアイコンなどを作成する手段と、ＥＰＧ情報に対応する番組の画面をキャプチャして、プレビュー情報となる画像として保存する手段と、ＥＰＧ情報とキャプチャ画像を画面上の適切な位置に配置してスクリーンセーバー用の画面を作成する手段と、ユーザが放送番組以外、すなわちメニュー画面表示やＥＰＧ画面表示など、長時間表示し続けることによって画面の焼き付きを起こしてしまうような同一静止画をテレビジョン放送受信装置の画面上に表示しているかどうかを検出する手段と、放送番組以外を画面上に表示していると検出した場合に、ユーザからの操作入力が一定時間無い状態を検出する手段と、ユーザからの操作入力が一定時間ない状態を検出した場合に、スクリーンセーバー用の画面をテレビジョン放送受信装置の画面上に刻一刻と変化させながら表示する手段とを備え、スクリーンセーバー用の画面として使用する情報が、ＥＰＧ情報受信機能により受信した、現在放映されている地上波放送、衛星放送のＥＰＧ情報であり、一定時間ごとにチャンネルを替えて新たなＥＰＧ情報を用いて、スクリーンセーバー用画面を作成することを特徴とする。
【０００８】
また、本発明の請求項２に係るスクリーンセーバー機能は、ＥＰＧ情報を用いて番組名、出演者などのテキスト情報と、ジャンルを表すアイコンなどを作成する手段と、ＥＰＧ情報に対応する番組をテレビジョン放送受信装置の画面上に表示させる命令を出す手段と、ＥＰＧ情報とキャプチャ画像を画面上の適切な位置に配置されるよう半透明ＯＳＤ上に描画する手段と、ＥＰＧ情報に対応する番組の画面とＥＰＧ情報が描画された半透明ＯＳＤを別レイヤーとして合成してスクリーンセーバー用の画面を作成する手段と、ユーザが放送番組以外、すなわちメニュー画面表示やＥＰＧ画面表示など、長時間表示し続けることによって画面の焼き付きを起こしてしまうような同一静止画をテレビジョン放送受信装置の画面上に表示しているかどうかを検出する手段と、放送番組以外を画面上に表示していると検出した場合に、ユーザからの操作入力が一定時間無い状態を検出する手段と、一定時間操作入力がない状態を検出した場合に、スクリーンセーバー用の画面をテレビジョン放送受信装置の画面上に刻一刻と変化させながら表示する手段とを備え、スクリーンセーバー用の画面として使用する情報が、ＥＰＧ情報受信機能により受信した、現在放映されている地上波放送、衛星放送のＥＰＧ情報であり、一定時間ごとにチャンネルを替えて新たなＥＰＧ情報を用いて、スクリーンセーバー用画面を作成することを特徴とする。
【発明の効果】
【０００９】
本発明によれば、ＣＲＴやＰＤＰなどのテレビジョン放送受信装置の画面の焼き付きを抑制することができるだけでなく、従来は有効活用されていなかった画面上に、ＥＰＧ情報を表示することで、ユーザにとって有益な情報を提供することが可能になる。
【００１０】
さらに、現在放映中の番組画面のキャプチャ画像や、実際の放送を半透明のＯＳＤの下で表示することによって、具体的に番組の情報を与えることができ、ユーザに新たな視聴を促すことができる。
【発明を実施するための最良の形態】
【００１１】
（実施の形態１）
図１は本発明の実施の形態１に係るスクリーンセーバー機能１００の構成を示すブロック図である。図１において、スクリーンセーバー機能１００は、入力制御部１０１と、ＥＰＧ情報制御部１０２と、画面処理部１０３と、表示制御部１０４と、表示部１０５から構成される。
【００１２】
入力制御部１０１は、ユーザからの操作入力を検知し、表示部１０５の画面上に現在表示されているのが放送番組であるのか、メニュー表示などの放送番組以外であるのかを判断する。さらに、放送番組以外が表示されている場合に、ユーザから一定期間操作入力がないことを検知してＥＰＧ情報制御部１０２へスクリーンセーバー起動命令を出力する。また、スクリーンセーバー起動命令出力後にユーザからの操作入力があった場合は、ＥＰＧ情報制御部１０２と画面処理部１０３へスクリーンセーバー停止命令を出力する。
【００１３】
ＥＰＧ情報制御部１０２は、入力制御部１０１から出されたスクリーンセーバー起動命令を受けて、放送波とともに伝送されてきたＥＰＧ情報を受信し、現在時刻を参照して現在放映されている番組のＥＰＧ情報を抽出して、テキストまたはアイコンに成形して表示制御部１０４へ出力する。また、一定期間経過ごとに順にチャンネルを替えて別のチャンネルのＥＰＧ情報をテキストまたはアイコンに整形して表示制御部１０４へ出力する。さらに、入力制御部１０１よりスクリーンセーバー停止命令を受けた場合には、直ちにＥＰＧ情報の出力を停止し、表示制御部１０４へスクリーンセーバー停止命令を出力する。
【００１４】
画面処理部１０３は、ＥＰＧ情報制御部１０２からＥＰＧ情報が出力される度に、その情報を基に対応する番組の画面をキャプチャし、画像として保存したのち、表示制御部１０４へ出力する。
【００１５】
表示制御部１０４は、ＥＰＧ制御部１０２から出されたＥＰＧ情報と、画面処理部１０３から出されたキャプチャ画像が表示部１０５の適切な位置に表示されるように出力する。また、ＥＰＧ情報制御部１０２よりスクリーンセーバー停止命令を受けた場合には、直ちにスクリーンセーバーを停止する。
【００１６】
次に、図２のフローチャートを用いて、本発明の実施の形態１に係るスクリーンセーバー機能の制御の流れを説明する。まず、ステップＳ１０１において入力制御部１０１はリモコン、またはテレビジョン放送受信装置の本体操作部からのユーザによる操作入力を検知する。
【００１７】
次いで、ステップＳ１０２において、表示部１０５の画面上に現在表示されている対象が放送番組であるのか、それ以外の表示対象であるのかを入力制御部１０１によって判断する。ここで、放送番組以外の表示対象としては、設定メニュー、ＥＰＧ、インターネットブラウザ画面などが考えられる。その他、画面の一部分であっても長時間表示していると焼き付きが起こる可能性があるものは全て放送番組以外の表示対象であるとし、本発明では便宜上メニュー画面と呼ぶこととする。
【００１８】
入力制御部１０１は、表示部１０５の画面上に現在表示されている対象が、放送番組であると判断した場合には、ステップＳ１０３に遷移しスクリーンセーバーを起動させない。
【００１９】
入力制御部１０１は、表示部１０５の画面上に現在表示されている対象が、メニュー画面であると判断した場合には、その状態が一定期間継続しているかどうかを判断するステップＳ１０４に遷移する。
【００２０】
次いで、ステップＳ１０４において、入力制御部１０１は一定期間内にユーザからの操作入力があったことを検知した場合には、ステップＳ１０３に遷移しスクリーンセーバーを起動させない、またはスクリーンセーバーを終了させる命令を出力し、スクリーンセーバーを停止状態にする。
【００２１】
ステップＳ１０４において、入力制御部１０１は一定期間内にユーザからの操作入力がないことを検知した場合には、ステップＳ１０５に遷移し、スクリーンセーバー起動命令を出力する。
【００２２】
ステップＳ１０５において、ＥＰＧ制御部１０２は、入力制御部１０１からスクリーンセーバー起動命令を受け取った後、ステップＳ１０６にて放送波とともに伝送されてきたＥＰＧ情報を受信し、その中から現在放映されている番組のＥＰＧ情報を抽出し、適切な形に成形した後、成形したＥＰＧ情報を表示制御部１０４へ出力してステップＳ１０７に遷移する。
【００２３】
ステップＳ１０７において、画面処理部１０３はＥＰＧ制御部１０２から受け取ったＥＰＧ情報を基にして、対応する番組の画面をキャプチャし、画像として保存し、表示制御部１０４に出力してステップＳ１０８に遷移する。
【００２４】
ステップＳ１０８において、表示制御部１０４は図３に示すように、ＥＰＧ情報制御部１０２から出力された番組名情報３０１、開始日時情報３０２、終了日時情報３０３、出演者情報３０４、詳細説明情報３０５などのテキスト情報と、チャンネル３０６、ジャンル３０７、視聴制限情報３０８を表すアイコンなどのＥＰＧ情報と、画面処理部１０３から出力された番組のキャプチャ画像３０９が表示部１０５の画面上の適切な位置に表示されるように配置を決定した後、表示部１０５に出力して、ステップＳ１０９に遷移する。なお、図３に示す画面の構成要素、配置は一例であり、他の要素の追加、他の配置に変更することも可能である。
【００２５】
スクリーンセーバー表示後、状態は再びステップＳ１０６に戻り、ＥＰＧ制御部１０２は、一定期間経過した後に、今度は他のチャンネルのＥＰＧ情報を出力する。その後は前記のとおり、ステップＳ１０７からステップＳ１０９への処理を繰り返す。
【００２６】
また、ステップＳ１０４は割り込み処理も兼ねており、ユーザからの操作入力を検出した場合には、いつでもスクリーンセーバーを停止することができる。
【００２７】
（実施の形態２）
図４は本発明の実施の形態２に係るスクリーンセーバー機能４００の構成を示すブロック図である。実施の形態２では、プレビュー情報である番組のキャプチャ画面表示の代わりに、実際に現在放映されている番組を表示し、その上に別レイヤーとして半透明ＯＳＤを利用してＥＰＧ情報を表示する以外はすべて実施の形態１と同じ形態で実現される。図４において、スクリーンセーバー機能４００は、入力制御部１０１と、ＥＰＧ情報制御部４０２と、ＯＳＤ制御部４０３と、表示制御部４０４と、表示部１０５から構成される。なお、図１と同等の符号を付したものは、図１と同等の機能を有するため、説明は省略する。
【００２８】
ＥＰＧ情報制御部４０２は、入力制御部１０１から出されたスクリーンセーバー起動命令を受けて、放送波とともに伝送されてきたＥＰＧ情報を受信し、現在時刻を参照して現在放映されている番組のＥＰＧ情報を抽出して、テキストまたはアイコンに成形してＯＳＤ制御部４０３へ出力するとともに、表示制御部４０４にどの番組のＥＰＧ情報を出力したのかを通知する。また、一定期間経過ごとに順にチャンネルを替えて同様の処理を行う。さらに、入力制御部１０１よりスクリーンセーバー停止命令を受けた場合には、直ちにＥＰＧ情報の出力を停止し、ＯＳＤ制御部４０３と表示制御部４０４へスクリーンセーバー停止命令を出力する。
【００２９】
ＯＳＤ制御部４０３は、ＥＰＧ情報制御部４０２からＥＰＧ情報が出力される度に、ＥＰＧ情報を半透明ＯＳＤ上に適切に描画し、表示制御部４０４に出力する。
【００３０】
表示制御部４０４は、ＥＰＧ情報制御部４０２より通知された番組画面を表示部１０５上に実際に表示する。さらに、ＯＳＤ制御部４０３から出力された前記半透明ＯＳＤを、前記番組画面の上に別レイヤーとして表示することによって、ＥＰＧ情報が記載された半透明フィルターの下で実際に番組画面が表示されている状態になる。
【００３１】
次に、図５のフローチャートを用いて、本発明の実施の形態２に係るスクリーンセーバー機能の制御の流れを説明する。なお、図２と同等の符号を付したステップ１０１からステップＳ１０４までの制御は、図２と同等の制御であるため、説明は省略する。
【００３２】
ステップ２０５において、ＥＰＧ制御部４０２は入力制御部１０１からスクリーンセーバー起動命令を受け取った後、ステップＳ２０６にて放送波とともに伝送されてきたＥＰＧ情報を受信し、その中から現在放映されている番組のＥＰＧ情報を抽出し、適切な形に成形した後、成形したＥＰＧ情報をＯＳＤ制御部４０３へ出力するとともに、表示制御部４０４にどの番組のＥＰＧ情報を出力したのかを通知してステップＳ２０７に遷移する。
【００３３】
ステップＳ２０７において、ＯＳＤ制御部４０３はＥＰＧ情報制御部４０２より出力されたＥＰＧ情報を図６のように半透明ＯＳＤ６０９上に描画する。なお、図６において、図３と同じ符号を付したものについては、同等のものであるため説明を省略する。また、図６に示す画面の構成要素、配置は一例であり、他の要素を追加、他の配置に変更することも可能である。その後、ＥＰＧ情報を描画した半透明ＯＳＤ６０９を表示制御部４０４に出力して、ステップＳ２０８に遷移する。
【００３４】
ステップＳ２０８において、表示制御部４０４はＥＰＧ情報制御部４０２より通知された番組の画面を表示部１０５上に実際に表示させる。さらに、ＯＳＤ制御部４０３から出力された半透明ＯＳＤ６０９を、前記番組画面の上に別レイヤーとして表示させ、ステップＳ２０９に遷移する。
【００３５】
スクリーンセーバー表示後、状態は再びステップＳ２０６に戻り、ＥＰＧ制御部４０２は、一定期間経過した後に、今度は他のチャンネルのＥＰＧ情報を出力する。その後は前記のとおり、ステップＳ２０７からステップＳ２０９への処理を繰り返す。
【００３６】
また、ステップＳ２０４は割り込み処理も兼ねており、ユーザからの操作入力を検出した場合には、いつでもスクリーンセーバーを停止することができる。
【産業上の利用可能性】
【００３７】
本発明のスクリーンセーバー機能は、ＣＲＴやＰＤＰなどのテレビジョン放送受信装置の画面の焼き付きを抑制することができるだけでなく、従来は有効活用されていなかった画面上に、ＥＰＧ情報を表示することで、ユーザにとって有益な情報を提供することが可能になるため、ＥＰＧ情報を受信可能なモニタを具備したＡＶ機器に有用である。
【図面の簡単な説明】
【００３８】
【図１】本発明の実施の形態１に係るスクリーンセーバー機能の構成を示すブロック図
【図２】本発明の実施の形態１に係るスクリーンセーバー機能の処理を示すフローチャート
【図３】本発明の実施の形態１に係るスクリーンセーバー機能を用いたスクリーンセーバー画面の一例を示す図
【図４】本発明の実施の形態２に係るスクリーンセーバー機能の構成を示すブロック図
【図５】本発明の実施の形態２に係るスクリーンセーバー機能の処理を示すフローチャート
【図６】本発明の実施の形態２に係るスクリーンセーバー機能を用いたスクリーンセーバー画面の一例を示す図
【符号の説明】
【００３９】
１００、４００    スクリーンセーバー機能
１０１    入力制御部
１０２、４０２    ＥＰＧ制御部
１０３    画面処理部
１０４、４０４    表示制御部
１０５    表示部
３０１    番組名テキスト情報
３０２    開始日時テキスト情報
３０３    終了日時テキスト情報
３０４    出演者テキスト情報
３０５    詳細説明テキスト情報
３０６    チャンネルアイコン
３０７    ジャンルアイコン
３０８    視聴制限アイコン
３０９    キャプチャ画像
４０３    ＯＳＤ制御部
６０９    半透明ＯＳＤ
【図１】
2006041588.tif 000003
【図２】
2006041588.tif 000004
【図３】
2006041588.tif 000005
【図４】
2006041588.tif 000006
【図５】
2006041588.tif 000007
【図６】
2006041588.tif 000008